(57)【特許請求の範囲】
【請求項１】
調理器及び当該調理器の外縁に設けた排気吸引口が、共に上面と面一に配設されたテーブルに使用する調理用ロストルであって、調理用ロストルの裏面に前記調理器面と隙間を設ける脚を備え、前記調理用ロストルの側周壁面に沿ってオイル溜を備え、前記オイル溜に囲まれた焼き面は前記オイル溜より高く形成されていると共に、前記オイル溜に開口する溝条が形成されており、前記排気吸引口と前記溝条が開口する前記オイル溜とが連通する状態で被覆されるカバーが着脱自在に付設されており、前記カバーは天面に窓孔が形成されていることを特徴とする調理用ロストル。
【請求項２】
溝条がオイル溜りに向かって傾斜した底面に形成されていることを特徴とする請求項１に記載の調理用ロストル。
【請求項３】
カバーの天面がロストル側への傾斜面と成っており、当該傾斜面に窓孔が形成されていることを特徴とする請求項１又は２に記載の調理用ロストル。
【請求項４】
カバーの非ロストル側後面、側面及び前面の下端はテーブル面に当接する状態で下設され、ロストル側前面の開口した中央部の天面先端はロストルの側壁上端面に係止すると共に、焼き面の端部と対向する状態に形成されていることを特徴とする請求項１乃至３のいずれかの項に記載の調理用ロストル。
【請求項５】
窓孔は上下方向への長孔が並設されていることを特徴とする請求項３又は４に記載の調理用ロストル。
【発明の詳細な説明】
【技術分野】
【０００１】
本発明は調理用ロストルに関し、調理器及び当該調理器の外縁に設けた排気吸引口が、共に天面と面一に配設されたテーブルに使用するロストルに関するもので、特に電磁調理器（ＩＨ調理器）に有意である。
【背景技術】
【０００２】
従来の業務用や、飲食店での焼き肉料理を提供する飲食用テーブルにおいては、ガス火や炭火を熱源とした加熱器具が用いられている。
そして、肉等の調理材料の加熱により生じた煙を排気する吸引ダクトが、加熱器具に関係して配置されており、当該吸引ダクトは天井から吊設されるため、視界が良好と言えず、店内環境も少なからず悪化させている。
【０００３】
また、テーブル上に、加熱器具を設置する場合は、その上にロストルを置く状態となり、テーブル面から相当の高さ位置に肉等の調理材料が焼成される位置関係となるため、調理や取分けがし易いとは言い難いものとなる。
【０００４】
一方、テーブル面と一面に加熱器具を位置せしめる場合は、加熱器具をテーブルに埋設した状態で組み込む構成となる。
そして、前記吸引ダクトを不要とする構成とする場合は、埋設して設置する加熱器具の周囲に空間を設け、その壁面に油煙等の吸引口を配設した構成とし、埋設を深くすることで吸引効果を期待することになる。
【先行技術文献】
【特許文献】
【０００５】
【特許文献１】特開２００８−２０２９２８号公報
【発明の概要】
【発明が解決しようとする課題】
【０００６】
上記のように、従来のガス火や炭火を熱源とした加熱器具を使用するは、当然のことながら火災や火傷への取扱上の注意や地震等の非常時の安全の確保が必要であること、調理材料による油脂液や油煙の排気処理のための設備を要する等の問題がある。
【０００７】
また、加熱器具として火炎が生じない点では、既存器具より安全性に優れている電磁調理器（ＩＨ調理器）も選択肢にあるけれど、安全面からの過加熱を防止する火力の調整が必要であり、また、一般的にはテーブル面と面一に設置される電磁調理器における油煙の排気処理に関しては従来通りの問題が残る。
【０００８】
そこで、本発明は上記の既存の調理器具における問題点を解消し、特に電磁調理器（ＩＨ調理器）の使用を可能とした調理用ロストルを提供せんとするものである。
【課題を解決するための手段】
【０００９】
本発明に係る調理用ロストルの請求項１の発明は、調理器及び当該調理器の外縁に設けた排気吸引口が、共に上面と面一に配設されたテーブルに使用する調理用ロストルであって、調理用ロストルの裏面に前記調理器面と隙間を設ける脚を備え、前記調理用ロストルの側周壁面に沿ってオイル溜を備え、前記オイル溜に囲まれた焼き面は前記オイル溜より高く形成されていると共に、前記オイル溜に開口する溝条が形成されており、前記排気吸引口と前記溝条が開口する前記オイル溜とが連通する状態で被覆されるカバーが着脱自在に付設されており、前記カバーは天面に窓孔が形成されていることを特徴とするものである。
【００１０】
請求項２の調理用ロストルの発明は、請求項１において、溝条がオイル溜りに向かって傾斜した底面に形成されていることを特徴とするものである。
【００１１】
請求項３の調理用ロストルの発明は、請求項１又は２において、カバーの天面がロストル側への傾斜面と成っており、当該傾斜面に窓孔が形成されていることを特徴とするものである。
【００１２】
請求項４の調理用ロストルの発明は、請求項１乃至３のいずれかにおいて、カバーの非ロストル側後面、側面及び前面の下端はテーブル面に当接する状態で下設され、ロストル側前面の開口した中央部の天面先端はロストルの側壁上端面に係止すると共に、焼き面の端部と対向する状態に形成されていることを特徴とするものである。
【００１３】
請求項５の調理用ロストルの発明は、請求項３又は４において、窓孔は上下方向への長孔が並設されていることを特徴とするものである。
【発明の効果】
【００１４】
請求項１の発明は、調理用ロストルの下面と前記調理器面とに隙間を設ける脚を備えるため、調理器が電磁調理器の場合は、隙間が過加熱を防止する冷却作用を奏し、電源の不必要な自動停止を阻止して安定した加熱を継続できる効果があり、排気吸引口とカバーにより通じているため吸引による冷却効果が大きくなる。
【００１５】
調理用ロストルの側周壁面に沿ってオイル溜を備えるため、調理物から生じた油脂液等が、調理用ロストル外へ流下せずオイル溜に貯留できるため調理器の汚濁を防止し、オイル溜は側周壁面の周囲に設けてあるため容量を確保できると共に、調理用ロストル上の油脂液等の発生場所及び量に不同が生じても平均に均して貯留できる効果を有する。
【００１６】
オイル溜に囲まれた焼き面は前記オイル溜より高く形成されていると共に、前記オイル溜に開口する溝条が形成されているため、オイル溜の形成が容易と成り、溝条から油脂液をオイル溜へ誘導する効果を有する。
【００１７】
排気吸引口と溝条が開口するオイル溜が連通する状態でカバーが被覆されているため、オイル溜及び溝条の油煙が排気吸引口へ吸引される効果を発揮する。
そして、排気吸引口をカバーが被覆するため、天面の窓孔から調理用ロストル上の油煙を吸引して処理できる効果も発揮する。
さらに、カバーは着脱自在に付設されているため、カバーは勿論、調理器やテーブルの清掃に支障が無く、調理用ロストルとの組立も容易となる効果を発揮する。
【００１８】
請求項２の調理用ロストルの発明は、請求項１の効果に加えて、溝条の底面がオイル溜りに向かってオイルが流下すべく傾斜しているため、迅速かつ確実に油脂液や油煙をオイル溜や排気吸引口へ導くことができる効果を有する。
【００１９】
請求項３の調理用ロストルの発明は、請求項１又は２の効果に加えて、カバーの天面がロストル側への傾斜面と成っており、当該傾斜面に窓孔が形成されているため、調理用ロストルの上方へ上昇する油煙をより確実に吸引することができる効果を発揮する。
【００２０】
請求項４の調理用ロストルの発明は、請求項１乃至３のいずれかの効果に加えて、カバーの非ロストル側後面、側面及び前面の下端はテーブル面に当接する状態で下設され、ロストル側前面の開口した中央部の天面先端はロストルの側壁上端面に係止すると共に、焼き面の端部と対向する状態に形成されているため、カバー内が密閉される状態で、オイル溜と窓孔の開口部分が形成されことになり、排気吸引口からの吸引作用がオイル溜と窓孔の開口部分に集中して吸引効果が発揮されることになる。
【００２１】
請求項５の調理用ロストルの発明は、請求項３又は４の効果に加えて、窓孔は上下方向への長孔が並設されているため、ブロワーの吸引作用が排気吸引口に不均一に生じていても、整流されて長孔の全般に均質に吸引作用が奏する効果を発揮する。
【図面の簡単な説明】
【００２２】
【図１】本発明の調理用ロストルの一実施の形態を示す斜視図である。
【図２】本発明のカバーの一実施の形態を示す斜視図である。
【図３】本発明の調理用ロストル及びカバーが配設されるテーブルの斜視図である。
【図４】使用状態を示す平面図である。
【図５】図４の要部断面図である。
【発明を実施するための形態】
【００２３】
本発明の実施の形態を図面に基づいて説明する。
図１及び図２は本発明の一実施の形態を示すもので、調理用ロストル１の裏面に、調理器面と隙間を設ける脚２を備え、前記調理用ロストル１の側周壁１１面に沿ってオイル溜３を備え、前記オイル溜３に囲まれた焼き面４は前記オイル溜３より高く形成されていると共に、前記オイル溜３に開口する溝条５が形成されている。
【００２４】
図面での調理用ロストル１は、平面が略正方形で低めの側周壁１１を有し、偶部裏面に極めて短足の脚２が下設されている。
この脚２によって、調理用ロストル１の下面と調理器面とに隙間が生じるため、調理器８が電磁調理器の場合は、隙間が過加熱を防止する冷却作用を奏し、電源の不必要な自動停止を阻止して安定した加熱を継続できる作用を奏する。
【００２５】
表面側に起設した側周壁１１の内側に形成したオイル溜３は調理用ロストル１の底面となっている。
調理物から生じた油脂液等が、調理用ロストル１外へ流下せずオイル溜３に貯留するため調理器８の汚濁を防止し、オイル溜３は側周壁面の周囲に設けてあるため容量を確保できると共に、調理用ロストル１上の油脂液等の発生場所及び量に不同が生じても平均に均して貯留できる作用を奏する。
【００２６】
また、オイル溜３の幅は、一方の対向辺側が広く、他方の対向辺側は狭くなっている。
複数人数の場合は、テーブル７の周囲に対向して座すため、一方の対向辺側が広く形成して油脂液の多寡に応じられる作用を有する。
幅狭の対向辺側の側壁１１の上端面からは、水平に持手片１２が一体的に横設され、この持手片１２の両端近傍に係止孔１３が穿設してあり、後述のカバー６の係止片を挿通して係止するものである。
【００２７】
焼き面４は、前記側壁１１と略同等の高さを有し、上面はやや湾曲した平面で、幅広のオイル溜３Ａが形成された方向に向って、前記持手片１２が横設された辺と平行に溝条５が並設して形成されている。
オイル溜３に囲まれた焼き面４は前記オイル溜３より高く形成されているため、オイル溜３の形成が容易と成り、溝条５から油脂をオイル溜３へ誘導する作用を奏する。
【００２８】
即ち、溝条５は一方の対向辺に向かって、他方の対向辺と平行な直線であると共に等間隔で並設され、各溝条５の底は中央部が浅く、前記一方の対向辺側に傾斜して先端はオイル溜３Ａと同じ深さとなって開口した状態に形成されている。
したがって、溝条５に落ちた油脂液等は速やかに幅広オイル溜３Ａに向かって流下して貯留されることになる。
【００２９】
また、前記溝条５が開口する前記幅広オイル溜３Ａと共に、当該オイル溜３Ａの側壁１１の外側域まで被覆する状態の天面６１を有するカバー６が着脱自在に取り付けられる。
そして、カバーの天面６１には窓孔６２が形成されている。
図面では、天面６１は切り妻屋根状にロストル側が長い傾斜面と成っており、窓孔６２は、ロストル側の傾斜面の上下方向への長円の孔が並設して構成されている。
【００３０】
カバー６の天面６１から連設した各側面は、非ロストル側後面６３、側面６４及び前面６５の下端は前記調理用ロストル１の裏面に形成した脚２の下端と同一面に、ロストル側前面６５の開口した中央部の天面先端は、ロストルの側壁１１の上端面に当接すると共に、焼き面４の端部と対向する状態に形成されている。
そして、前記前面６５から突設した係止片６６が、前記持手片１２の係止孔１３に挿通して係止され、調理用ロストル１へ着脱自在に付設されるものである。
【００３１】
ところで、本発明は、調理器及び当該調理器の外縁に設けた排気吸引口が、共に天面と面一に配設された調理用のテーブルに使用するものである。
図３はその一実施の形態である調理用のテーブル７であり、長方形の天板７１を有するテーブル面の中央部に電磁調理器（ＩＨ調理器）８が天板７１の天面と面一に埋設されている。
【００３２】
調理器８は保持枠体９に装着され、保持枠体９はテーブル７に形成した開口部７２に嵌合支持されている。
保持枠体９のテーブル７の長手面側には、長孔９１を連設した排気吸引口９２が調理器８に沿って配設してあり、また、一方の短手面側には、のぞき窓９３が連設され、窓蓋９４が着脱自在に被設してある。
【００３３】
また、図示を省略したテーブル７の内部は、前記開口部７２の直下に在る空間７３から排気口に通じる通風路が形成してあり、この通風路の途中に脱臭フルター等の各種フィルターを配備し、ブロワーにより保持枠体９の排気吸引口９２から吸引した調理時の排煙を清浄にしてテーブル外へ排出すものとなっている。
【００３４】
そこで、当該調理用のテーブル７の仕様と、前記一実施の形態として説明した調理用ロストル１とは、互いに相応するように構成したものである。
即ち、図４及び図５のように、テーブル７の電磁調理器８上に調理用ロストル１を設置する際、テーブル７の排気吸引口９２と調理用ロストル１のカバー６が相対する上下位置関係で配置すれば、調理用ロストル１の側壁１１の外側域まで被覆する天面６１を有するカバー６によりテーブル７の排気吸引口９２が被覆された状態となって載置されるものとなる。
【００３５】
したがって、排気吸引口９２と溝条５が開口するオイル溜３Ａが連通する状態でカバー６が被覆されているため、オイル溜３Ａ及び溝条５の油煙が排気吸引口９２へ吸引されると共に、天面６１の窓孔６２からは調理用ロストル１上の油煙を吸引して処理できるものとなる。
また、調理用ロストル１の下面と前記調理器８との隙間にも通じているため、該空間の空気が吸引され、調理器８の過加熱に対する冷却作用が促進される。
【００３６】
さらに、カバー６は着脱自在に付設されているため、カバー６は勿論、調理器８やテーブル７の清掃に支障が無く、調理用ロストル１との組立も容易である。
ブロワーによる吸引によって、底面が傾斜している溝条５から迅速かつ確実に油脂液や油煙をオイル溜３Ａや排気吸引口９２へ導くことができ、カバー６の天面６１に設けた窓孔６２はロストル側への傾斜面に形成されているため、調理用ロストル１の上方へ上昇する油煙をより確実に吸引することができる。
【００３７】
カバー６の非ロストル側後面６３、側面６４及び前面６５の下端はテーブル７（又は面一である保持枠体９）の上面に、ロストル側前面６５の開口した中央部の天面先端はロストルの側壁１１の上端面に係止すると共に、焼き面の端部と対向する状態に形成されているため、カバー６内が密閉される状態で、オイル溜３Ａと窓孔６２に開口部分が形成されことになり、排気吸引口９２からの吸引作用がオイル溜３Ａと窓孔６２の開口部分に集中して吸引作用が発揮されることになる。
【００３８】
窓孔６２の長孔や排気吸引口９２の長孔９１が並設されているため、ブロワーの吸引作用が排気吸引口９２に不均一に生じていても、整流されて長孔の全般に均質に吸引作用を奏するものとなる。
【００３９】
以上図面に基づいて説明した実施の態様は一例であり、調理用ロストルの形状円形状はであっても良く、この場合の溝条は中央部から遠心状に形成することも考えられ、焼き面も平坦なものに限定されず、公知の傾斜面や凹凸面を有するものであってもよい。
また、カバーの形状及び係止位置は、調理器に関係して設けられた排気吸引口に対応した形状及び位置に付設するものとなる。
即ち、本発明の思想を逸脱することなく、本発明の特徴を有し同等の作用効果を発揮する連結具にも適用可能である。
【符号の説明】
【００４０】
１    調理用ロストル
１１  側壁
１２  持手片
１３  係止孔
２    脚
３    オイル溜
３Ａ  幅広オイル溜
４    焼き面
５    溝条
６    カバー
６１  天面
６２  窓孔
６３  後面
６４  側面
６５  前面
６６  係止片
７    テーブル
７１  天板
７２  開口部
７３  空間
８    電磁調理器
９    保持枠体
９１  長孔
９２  排気吸引口
９３  のぞき窓
９４  窓蓋
【図１】
0006444327.tif 000002
【図２】
0006444327.tif 000003
【図３】
0006444327.tif 000004
【図４】
0006444327.tif 000005
【図５】
0006444327.tif 000006